(57)【特許請求の範囲】
【請求項１】
複数の表示器を表示動作させるグラフィックパネルシステムにおいて、
複数の表示信号を生成し、出力端子から前記各表示信号を出力する表示信号生成装置と、
表示信号を入力するための入力端子と、前記表示器の取り付けに使用されるグリッドと、入力端子とグリッドとの間を接続するプリント配線とを備え、入力端子に入力された表示信号を前記プリント配線を介して各グリッドに導き、各グリッドに取り付けられた各表示器に表示動作を行わせるグラフィックパネル装置と、
前記表示信号生成装置の前記出力端子から出力される前記各表示信号を取り込んで前記グラフィックパネル装置の前記入力端子に導く専用ケーブルと、
を備え、
前記表示信号生成装置は、前記出力端子の各出力ポイントと前記各グリッドの位置とを対応させた出力基板ポイント割付表を持ち、前記各出力ポイントに各表示信号を割り付け、前記専用ケーブルおよびプリント配線を介して、前記各グリッドに取り付けられた各表示器に表示を行わせる、
ことを特徴とするグラフィックパネルシステム。
【発明の詳細な説明】
【０００１】
【発明の属する技術分野】
本発明は、プラントの監視制御を行う監視制御装置から出力される表示データなどを取り込んでプラント機器の状態、故障有無、プロセス値などを表示するグラフィックパネルシステムに係わり、特に配線処理を容易にして、大幅なコストダウンを図るようにしたグラフィックパネルシステムに関する。
【０００２】
【従来の技術】
プラント機器の状態、故障有無、プロセス値などを監視制御する監視制御装置などに取り付けられるグラフィックパネルシステムとして、従来、図４に示すグラフィックパネルシステム１０１が知られている。
【０００３】
この図に示すグラフィックパネルシステム１０１は、プラント機器の状態、故障有無、プロセス値などを表示するグラフィックパネル装置１０２と、プラント機器の状態、故障有無、プロセス値などの監視制御を行う監視制御装置（図示は省略する）から出力される表示データを取り込んで表示信号を生成するコントローラ装置１０３と、このコントローラ装置１０３から出力される各表示信号をグラフィックパネル装置１０２に導くケーブルと１０４を備えており、コントローラ装置１０３によって、監視制御装置から出力される表示データを取り込み、これを解析しながら、グラフィックパネル装置１０２にプラント機器の状態、故障有無、プロセス値などを表示させる。
【０００４】
コントローラ装置１０３は、矩形状に形成されると筐体１０５と、この筐体１０５内に配置され、ケーブル（図示は省略する）を介して、監視制御装置から出力される表示データを取り込む複数の入力基板１０６と、筐体１０５内に配置され、予めインストールされている解析プログラムに基づき、各入力基板１０６によって取り込まれた各表示データを解析する複数の演算基板１０７と、筐体１０５内に配置され、各演算基板１０７から出力される演算結果を取り込んでアナログ信号形式の表示信号、デジタル信号形式の表示信号を出力する複数の出力基板１０８とを備えており、監視制御装置から出力される表示データを取り込み、これを解析して、アナログ信号形式の表示信号、デジタル信号形式の表示信号を生成し、これをケーブル１０４に送出する。
【０００５】
ケーブル１０４は、各一端がコントローラ装置１０３の各出力基板１０８に各々、接続され、各他端がグラフィックパネル装置１０２の各ＬＥＤモザイクタイル１１２、各デジタル表示器１１３に各々、接続される複数の電線１０９によって構成されており、コントローラ装置１０３の各出力基板１０８から出力されるアナログ信号形式の表示信号、デジタル信号形式の表示信号を取り込んでグラフィックパネル装置１０２の各ＬＥＤモザイクタイル１１２、各デジタル表示器１１３に供給する。
【０００６】
グラフィックパネル装置１０２は、表面に複数のグリッド（格子）１１０が形成されたグラフィック基板１１１と、このグラフィック基板１１１の各グリッド１１０に各々、取り付けられ、ケーブル１０４を構成する各電線１０９の他端が各々、接続される複数のＬＥＤモザイクタイル１１２と、グラフィック基板１１１の各グリッド１１０に各々、取り付けられ、ケーブル１０４を構成する各電線１０９の他端が各々、接続される複数のデジタル表示器１１３とを備えており、ケーブル１０４を介して、アナログ信号形式の表示信号、デジタル信号形式の表示信号が供給されているとき、各ＬＥＤモザイクタイル１１２、各デジタル表示器１１３を動作させて、プラント機器の状態、故障有無、プロセス値などを表示する。
【０００７】
【発明が解決しようとする課題】
ところで、このような従来のグラフィックパネルシステム１０１では、図５に示すように、コントローラ装置１０３に実装されている各出力基板１０８の各出力端子（出力ポイント）から出力される表示信号の内容、例えば“○○故障１”、“××故障２”が決まっていることから、グラフィックパネル装置１０２に取り付けられる各ＬＥＤモザイクタイル１１２の表示内容および各デジタル表示器１１３の表示内容を一致させるように、各出力基板１０８の各出力端子と、各ＬＥＤモザイクタイル１１２の端子および各デジタル表示器１１３の端子とを各電線１０９によって各々接続させなければならない。
【０００８】
このため、ケーブル１０４を用いて、コントローラ装置１０３とグラフィックパネル装置１０２とを接続するとき、多大な時間と多大な手間とがかかり、グラフィックパネルシステム１０１の製造コスト、設置コストなどを低減させることが難しいという問題があった。
【０００９】
また、このような従来のグラフィックパネルシステム１０１では、監視制御装置の監視制御内容が変更されて、グラフィックパネル装置１０２に取り付けられている各ＬＥＤモザイクタイル１１２、各デジタル表示器１１３などを取り替え、レイアウト変更などを行う毎に、各電線１０９と、各ＬＥＤモザイクタイル１１２、各デジタル表示器１１３との接続をやり直さなければならないことから、監視制御装置の監視制御内容が変更される毎に、多大な時間と、多大な手間とが発生してしまうという問題があった。
【００１０】
本発明は上記の事情に鑑み、請求項１では、配線作業を大幅に簡素化させて、ケーブル接続作業に要する時間と手間とを大幅に短縮させ、グラフィックパネルシステムの製造コスト、設置コストなどを大幅に低減させることができるグラフィックパネルシステムを提供することを目的としている。
【００１１】
【課題を解決するための手段】
上記の目的を達成するために本発明は、複数の表示器を表示動作させるグラフィックパネルシステムにおいて、複数の表示信号を生成し、出力端子から前記各表示信号を出力する表示信号生成装置と、表示信号を入力するための入力端子と、前記表示器の取り付けに使用されるグリッドと、入力端子とグリッドとの間を接続するプリント配線とを備え、入力端子に入力された表示信号を前記プリント配線を介して各グリッドに導き、各グリッドに取り付けられた各表示器に表示動作を行わせるグラフィックパネル装置と、前記表示信号生成装置の前記出力端子から出力される前記各表示信号を取り込んで前記グラフィックパネル装置の前記入力端子に導く専用ケーブルと、を備え、前記表示信号生成装置は、前記出力端子の各出力ポイントと前記各グリッドの位置とを対応させた出力基板ポイント割付表を持ち、前記各出力ポイントに各表示信号を割り付け、前記専用ケーブルおよびプリント配線を介して、前記各グリッドに取り付けられた各表示器に表示を行わせる、ことを特徴としている。
【００１２】
本発明によれば、表示信号生成装置に、出力端子の各出力ポイントと各グリッドの位置とを対応させた出力基板ポイント割付表を持たせるとともに、前記各出力ポイントに各表示信号を割り付けさせて、各グリッドに取り付けられた各表示器に表示を行わせる。これにより、各ＬＥＤモザイクタイル、各デジタル表示器などの各種表示器の取り付け位置が変更されても、プログラムの出力先変更のみで、これに対処させて、各表示器の表示内容を最適化させる。
また、プリント配線を使用することにより、グラフィックパネル装置内の配線を容易にさせて、グラフィックパネル装置自体の製造コストを低減させながら、表示信号生成装置と、グラフィックパネル装置との間の配線作業を大幅に簡素化させ、ケーブル接続作業に要する時間と、手間とを大幅に短縮させ、グラフィックパネルシステムの製造コスト、設置コストなどを大幅に低減させる。
【００１９】
【発明の実施の形態】
図１は本発明によるグラフィックパネルシステムの一実施形態を示す構成図である。
【００２０】
この図に示すグラフィックパネルシステム１は、プラント機器の状態、故障有無、プロセス値などを表示するグラフィックパネル装置２と、プラント機器の状態、故障有無、プロセス値などの監視制御を行う監視制御装置（図示は省略する）から出力される表示データを取り込んで各表示信号を生成するコントローラ装置３と、このコントローラ装置３から出力される各表示信号をグラフィックパネル装置２に導く専用ケーブル４とを備えており、コントローラ装置３によって、監視制御装置から出力される表示データを取り込み、これを解析しながら、グラフィックパネル装置２にプラント機器の状態、故障有無、プロセス値などを表示させる。
【００２１】
コントローラ装置３は、筐体５と、この筐体５内に配置され、ケーブル（図示は省略する）を介して監視制御装置から出力される表示データを取り込む複数の入力基板６と、筐体５内に配置され、予めインストールされている解析プログラムに基づき、各入力基板６によって取り込まれた各表示データを解析する複数の演算基板７と、筐体５内に配置され、各演算基板７から出力される演算結果を取り込むとともに、図３に示す出力基板ポイント割付表２１、各出力ポイントに対する表示信号割り当てに基づき、コネクタ１０を構成する各端子から、アナログ信号形式の表示信号、デジタル信号形式の表示信号を出力する出力基板９とを備えており、監視制御装置から出力される表示データを取り込み、これを解析して、アナログ信号形式の表示信号、デジタル信号形式の表示信号を生成し、これを出力基板９のコネクタ１０に着脱自在に接続された専用ケーブル４に送出する。
【００２２】
専用ケーブル４は、コントローラ装置３に実装された出力基板９のコネクタ１０に接続されるコネクタ１２と、グラフィックパネル装置２のコネクタ１６に接続されるコネクタ１３と、コネクタ１２の各端子とコネクタ１３の各端子とを各々、接続する多数の電線が束にされたケーブル本体１１とを備えており、コネクタ１２が出力基板９のコネクタ１０に接続されるとともに、コネクタ１３がグラフィックパネル装置２のコネクタ１６に接続されているとき、コントローラ装置３の出力基板９から出力されるアナログ信号形式の表示信号、デジタル信号形式の表示信号を取り込んでグラフィックパネル装置２のコネクタ１６に供給する。
【００２３】
グラフィックパネル装置２は、表面に複数のグリッド（格子）１４が形成されたグラフィック基板１５と、図２に示すように、グラフィック基板１５の裏面下部に設けられ、専用ケーブル４のコネクタ１３が着脱自在に接続されるコネクタ１６と、エッチング技術などによって、グラフィック基板１５を構成する板部材１７に形成され、コネクタ１６の各端子を介して供給されるアナログ信号形式の表示信号、デジタル信号形式の表示信号をグラフィック基板１５の各グリッド１４に導く複数のプリント配線１８と、グラフィック基板１５の各グリッド１４に各々、取り付けられているとき、各電極が各グリッド１４に形成された各プリント配線１８の各電極部分に各々、接続される複数のＬＥＤモザイクタイル１９と、グラフィック基板１５の各グリッド１４に各々、取り付けられているとき、各電極が各グリッド１４に形成された各プリント配線１８の各電極部分に各々、接続される複数のデジタル表示器２０とを備えており、コネクタ１６に専用ケーブル４のコネクタ１３が着脱自在に接続されているとき、この専用ケーブル４を介して供給されるアナログ信号形式の表示信号、デジタル信号形式の表示信号を取り込むとともに、プリント配線１８を介して、これらアナログ信号形式の表示信号、デジタル信号形式の表示信号を各ＬＥＤモザイクタイル１９、各デジタル表示器２０に導き、プラント機器の状態、故障有無、プロセス値などを表示する。
【００２４】
このように、この実施形態では、グラフィックパネル装置２を構成する板部材１７に複数のプリント配線１８を形成して、コントローラ装置３の出力基板９からアナログ信号形式の表示信号、デジタル信号形式の表示信号が出力されているとき、出力基板９のコネクタ１０→専用ケーブル４のコネクタ１２→専用ケーブル４のケーブル本体１１→専用ケーブル４のコネクタ１３→コネクタ１６→各プリント配線１８→各プリント配線１８の各電極→各ＬＥＤモザイクタイル１９の各電極（または、各デジタル表示器２０の各電極）なる経路で、各グリッド１４に取り付けられた各ＬＥＤモザイクタイル１９、各デジタル表示器２０に、アナログ信号形式の表示信号、デジタル信号形式の表示信号を供給させるようにしているので、専用ケーブル４のコネクタ１２をコントローラ装置３の出力基板９に設けられたコネクタ１０に接続させるとともに、専用ケーブル４のコネクタ１３をグラフィックパネル装置２に設けられたコネクタ１６に接続させるだけで、コントローラ装置３と、グラフィックパネル装置２との接続作業を完了させることができ、これによってコントローラ装置３と、グラフィックパネル装置２との間の配線作業を大幅に簡素化させて、ケーブル接続作業に要する時間と、手間とを大幅に短縮させて、グラフィックパネルシステム１の製造コスト、設置コストなどを大幅に低減させることができる。
【００２５】
また、この実施形態では、コントローラ装置３にインストールされている解析プログラム、出力プログラムなどに、図３に示すように、各出力ポイントと、表示位置（各グリッドのＸ座標、Ｙ座標）とを各々対応させた出力基板ポイント割付表２１を持たせ、各ＬＥＤモザイクタイル１９、各デジタル表示器２０の取り付け位置を変更したとき、コントローラ装置３の出力基板割付ポイント内容、各出力ポイントに対する表示信号割付を変更するだけで、これに対処し得るようにしているので、各ＬＥＤモザイクタイル１９、各デジタル表示器２０などの取り付け位置が変更されても、また各ＬＥＤモザイクタイル１９、各デジタル表示器２０などの新規取り付け、取り外しなどが行われても、配線作業をやり直すことなく、出力基板割付ポイント内容、各出力ポイントに対する表示信号割付の変更のみで、これに対処させることができる。
【００２６】
これによって、監視制御装置の制御内容が変更されても、最少の時間、最少の作業量で、グラフィックパネル装置２に取り付けられている各ＬＥＤモザイクタイル１９、各デジタル表示器２０のレイアウト変更、出力基板割付ポイント内容変更を行わせて、グラフィックパネル装置２の表示内容を最適化させることができる。
【００２７】
また、この実施形態では、グラフィックパネル装置２を構成するコネクタ１６の各端子と、各グリッド１４に取り付けられた各ＬＥＤモザイクタイル１９の各電極、各デジタル表示器２０の各電極とを接続する配線として、複数のプリント配線１８を使用するようにしているので、グラフィックパネル装置２自体の配線作業を最少にさせて、グラフィックパネル装置２自体の製造コストを低減させることができる。
【００２８】
【発明の効果】
以上説明したように本発明によれば、表示信号生成装置に、出力端子の各出力ポイントと各グリッドの位置とを対応させた出力基板ポイント割付表を持たせるとともに、前記各出力ポイントに各表示信号を割り付けさせて、各グリッドに取り付けられた各表示器に表示を行わせるようにしたので、各ＬＥＤモザイクタイル、各デジタル表示器などの各種表示器の取り付け位置が変更されても、プログラムの出力先変更のみで、容易に対処することができ、各表示器の表示内容を最適化させることができる。
また、プリント配線を使用することにより、グラフィックパネル装置内の配線を容易にさせて、グラフィックパネル装置自体の製造コストを低減させながら、表示信号生成装置と、グラフィックパネル装置との間の配線作業を大幅に簡素化させ、ケーブル接続作業に要する時間と、手間とを大幅に短縮させ、グラフィックパネルシステムの製造コスト、設置コストなどを大幅に低減させることが可能となる。
【図面の簡単な説明】
【図１】本発明によるグラフィックパネルシステムの実施形態を示す構成図である。
【図２】図１に示すグラフィックパネル装置を裏面側を見たときの構成図である。
【図３】図１に示すグラフィックパネルシステムで使用される出力基板ポイント割付表の一例を示す模式図である。
【図４】従来から知られているグラフィックパネルシステムの一例を示すブロック図である。
【図５】図４に示す従来例で使用される出力基板ポイント割付の一例を示す説明図である。
【符号の説明】
１：グラフィックパネルシステム
２：グラフィックパネル装置
３：コントローラ装置（表示信号生成装置）
４：専用ケーブル
５：筐体
６：入力基板
７：演算基板
９：出力基板
１０：コネクタ（出力端子）
１１：ケーブル本体
１２、１３：コネクタ
１４：グリッド
１５：グラフィック基板
１６：コネクタ（入力端子）
１７：板部材
１８：プリント配線（配線）
１９：ＬＥＤモザイクタイル（表示器）
２０：デジタル表示器（表示器）
２１：出力基板ポイント割付表
【図１】
0004490613.tif 000002
【図２】
0004490613.tif 000003
【図３】
0004490613.tif 000004
【図４】
0004490613.tif 000005
【図５】
0004490613.tif 000006